(57)【要約】【課題】市販のスプーンやフォーク等の日用柄付用具の柄を受容し保持することが可能な、簡易な構造のグリップ自助器を提供する。【解決手段】筒状のグリップ胴部２と、上記グリップ胴部２の上面に形成され、上記グリップ胴部２を把持すべく差し出す指を上記グリップ胴部２上で上方より押さえて保持するバンド部３と、上記グリップ胴部２の前端部６から上記グリップ胴部２の内部にかけて形成され、スプーン等の日用柄付用具３０の柄３１を受容し且つ保持するための柄受容部４とを有する構造とする。【選択図】図１
0003123606.tif 000002
【実用新案登録請求の範囲】
【請求項１】
筒状のグリップ胴部と、
前記グリップ胴部の上面に形成され、前記グリップ胴部を把持すべく差し出す指を前記グリップ胴部上で上方より押さえて保持するバンド部と、
前記グリップ胴部の前端部から前記グリップ胴部の内部にかけて形成され、スプーン等の日用柄付用具の柄を受容し且つ保持するための柄受容部と、
を有することを特徴とするグリップ自助器。
【請求項２】
前記柄受容部が内実の筒状体により形成され、その内部に長手方向に前記日用柄付用具の柄を挿入する柄挿入孔が設けられていることを特徴とする請求項１に記載のグリップ自助器。
【請求項３】
前記柄受容部が前記グリップ胴部の後端部に露出していることを特徴とする請求項２に記載のグリップ自助器。
【請求項４】
前記柄受容部が前記グリップ胴部内で終端していることを特徴とする請求項２に記載のグリップ自助器。
【請求項５】
前記柄受容部の後端部側に、前記日用柄付用具の柄の後端部を受容する柄後端受容部を有し、当該柄後端受容部は前記柄受容部よりも硬質の材料により形成されていることを特徴とする請求項２に記載のグリップ自助器。
【請求項６】
前記柄受容部と前記柄後端受容部が同軸的に一体化されていることを特徴とする請求項５に記載のグリップ自助器。
【請求項７】
前記柄受容部と前記柄後端受容部が同軸的に嵌め合わされていることを特徴とする請求項５に記載のグリップ自助器。
【請求項８】
前記柄後端受容部が前記グリップ胴部の後端部に露出していることを特徴とする請求項６または７に記載のグリップ自助器。
【請求項９】
前記柄後端受容部が前記グリップ胴部内に埋設されていることを特徴とする請求項６または７に記載のグリップ自助器。
【請求項１０】
前記グリップ胴部が弾性材料から成り、前記柄受容部が、前記グリップ胴部よりも硬い弾性材料から成ることを特徴とする請求項２〜９のいずれか１つに記載のグリップ自助器。
【請求項１１】
前記グリップ胴部が円筒状、樽状または糸巻き断面形状を有することを特徴とする請求項１０に記載のグリップ自助器。
【請求項１２】
前記グリップ胴部が表面に滑り止め用の凹凸を有することを特徴とする請求項１０または１１に記載のグリップ自助器。
【請求項１３】
前記柄受容部として、前記グリップ胴部の内部に、前記日用柄付用具の柄を挿入するための柄挿入孔が長手方向に形成されていることを特徴とする請求項１に記載のグリップ自助器。
【請求項１４】
前記柄挿入孔が前記グリップ胴部の後端部に露出していることを特徴とする請求項１３に記載のグリップ自助器。
【請求項１５】
前記柄挿入孔が前記グリップ胴部内で終端していることを特徴とする請求項１３に記載のグリップ自助器。
【請求項１６】
前記柄挿入孔のうちの前記グリップ胴部の後端部に近い部位が、日用柄付用具の柄の挿抜に対して接触抵抗を増大させる形状の接触抵抗増大部として形成されていることを特徴とする請求項１４に記載のグリップ自助器。
【請求項１７】
前記接触抵抗増大部が柄挿入孔をジグザグに屈曲した構造部から成ることを特徴とする請求項１６に記載のグリップ自助器。
【請求項１８】
前記接触抵抗増大部が、相互に断面形状がクロスした細長断面孔の繰り返しから成ることを特徴とする請求項１６に記載のグリップ自助器。
【請求項１９】
前記グリップ胴部が弾性材料から成ることを特徴とする請求項１３〜１８のいずれか１つに記載のグリップ自助器。
【請求項２０】
前記バンド部が、前記グリップ胴部の上面の長手方向に延在する帯状体から成ることを特徴とする請求項１〜１９のいずれか１つに記載のグリップ自助器。
【請求項２１】
前記バンド部が、前記グリップ胴部から一体的に連続する弾性材料から成ることを特徴とする請求項２０に記載のグリップ自助器。
【請求項２２】
前記バンド部が、前記グリップ胴部の上面の長手方向に配設された複数個の指挿入用の指保持部から成ることを特徴とする請求項１〜１９のいずれか１つに記載のグリップ自助器。
【請求項２３】
前記複数個の指挿入用の指保持部の一つが、他の指保持部と周方向に異なる位置に設けられた親指用の指保持部であることを特徴とする請求項２２に記載のグリップ自助器。
【請求項２４】
前記バンド部が設けられている部位における前記グリップ胴部の表面に、指の内側が入り込み得る凹部を形成したことを特徴とする請求項２０〜２３のいずれか１つに記載のグリップ自助器。
【請求項２５】
前記日用柄付用具が、スプーン、フォーク等の食器具、歯ブラシ、手編み用の編み棒、コンピュータのキーボード操作用の押し棒、筆または刷毛のいずれかであることを特徴とする請求項１〜２４のいずれか１つに記載のグリップ自助器。
【考案の詳細な説明】
【技術分野】
【０００１】
本考案は、スプーンやフォーク等の日用柄付用具の柄を受容し保持するグリップ自助器、特に身体障害者や高齢者などの日常生活における手作業の補助に用いるのに適したグリップ自助器に関する。
【背景技術】
【０００２】
従来、手の握力の低下等を原因として把持力が低下した者や、手の精緻な運動ができない者（以下「本患者」と称す）が、日用柄付用具であるフォークやスプーン等の食器具を使用する場合には、看護者や介護者が食事具を用いて、本患者の介助を行っている。これを食事の介助と称し、看護人、介護人の重大な仕事であるが、大きな労力を要するものであった。
【０００３】
そこで、本患者においても両手両腕の機能が全廃していない者にあっては、自力で食事の摂取ができるように補助するグリップ自助器の開発および使用が望まれている。そのようなグリップ自助器が提供されれば、本患者の生活意欲の向上、食事を通じての作業療法上の効果の増加、看護人や介護人の労力の減少に、おおいに寄与すると考えられるからである。
【０００４】
従来、障害者のために食事用や歯ブラシ用のグリップ自助器が作られている（例えば、特許文献１、２参照）。しかしながら、専用のフォーク、スプーン、歯ブラシ等のヘッドを必要としたり、食器具を自助器と共に落としてしまう可能性が高かったり、比較的複雑な構造である、などの問題があった。
【特許文献１】登録実用新案第３０４０９９４号公報
【特許文献２】特開平１０−１４６５９号公報
【考案の開示】
【考案が解決しようとする課題】
【０００５】
本考案は上記従来技術の有する問題点に鑑みてなされたものであり、本考案の目的は、市販のスプーンやフォーク等の日用柄付用具の柄を受容し保持することが可能な、簡易な構造のグリップ自助器を提供することにある。
【課題を解決するための手段】
【０００６】
本考案の上記目的は、下記の手段によって達成される。
【０００７】
（１）筒状のグリップ胴部と、前記グリップ胴部の上面に形成され、前記グリップ胴部を把持すべく差し出す指を前記グリップ胴部上で上方より押さえて保持するバンド部と、前記グリップ胴部の前端部から前記グリップ胴部の内部にかけて形成され、スプーン等の日用柄付用具の柄を受容し且つ保持するための柄受容部と、を有することを特徴とするグリップ自助器。
【０００８】
（２）前記柄受容部が内実の筒状体により形成され、その内部に長手方向に前記日用柄付用具の柄を挿入する柄挿入孔が設けられていることを特徴とする上記（１）に記載のグリップ自助器。
【０００９】
（３）前記柄受容部が前記グリップ胴部の後端部に露出していることを特徴とする上記（２）に記載のグリップ自助器。
【００１０】
（４）前記柄受容部が前記グリップ胴部内で終端していることを特徴とする上記（２）に記載のグリップ自助器。
【００１１】
（５）前記柄受容部の後端部側に、前記日用柄付用具の柄の後端部を受容する柄後端受容部を有し、当該柄後端受容部は前記柄受容部よりも硬質の材料により形成されていることを特徴とする上記（２）に記載のグリップ自助器。
【００１２】
（６）前記柄受容部と前記柄後端受容部が同軸的に一体化されていることを特徴とする上記（５）に記載のグリップ自助器。
【００１３】
（７）前記柄受容部と前記柄後端受容部が同軸的に嵌め合わされていることを特徴とする上記（５）に記載のグリップ自助器。
【００１４】
（８）前記柄後端受容部が前記グリップ胴部の後端部に露出していることを特徴とする上記（６）または（７）に記載のグリップ自助器。
【００１５】
（９）前記柄後端受容部が前記グリップ胴部内に埋設されていることを特徴とする上記（６）または（７）に記載のグリップ自助器。
【００１６】
（１０）前記グリップ胴部が弾性材料から成り、前記柄受容部が、前記グリップ胴部よりも硬い弾性材料から成ることを特徴とする上記（２）〜（９）のいずれか１つに記載のグリップ自助器。
【００１７】
（１１）前記グリップ胴部が円筒状、樽状または糸巻き断面形状を有することを特徴とする上記（１０）に記載のグリップ自助器。
【００１８】
（１２）前記グリップ胴部が表面に滑り止め用の凹凸を有することを特徴とする上記（１０）または（１１）に記載のグリップ自助器。
【００１９】
（１３）前記柄受容部として、前記グリップ胴部の内部に、前記日用柄付用具の柄を挿入するための柄挿入孔が長手方向に形成されていることを特徴とする上記（１）に記載のグリップ自助器。
【００２０】
（１４）前記柄挿入孔が前記グリップ胴部の後端部に露出していることを特徴とする上記（１３）に記載のグリップ自助器。
【００２１】
（１５）前記柄挿入孔が前記グリップ胴部内で終端していることを特徴とする上記（１３）に記載のグリップ自助器。
【００２２】
（１６）前記柄挿入孔のうちの前記グリップ胴部の後端部に近い部位が、日用柄付用具の柄の挿抜に対して接触抵抗を増大させる形状の接触抵抗増大部として形成されていることを特徴とする上記（１４）に記載のグリップ自助器。
【００２３】
（１７）前記接触抵抗増大部が柄挿入孔をジグザグに屈曲した構造部から成ることを特徴とする上記（１６）に記載のグリップ自助器。
【００２４】
（１８）前記接触抵抗増大部が、相互に断面形状がクロスした細長断面孔の繰り返しから成ることを特徴とする上記（１６）に記載のグリップ自助器。
【００２５】
（１９）前記グリップ胴部が弾性材料から成ることを特徴とする上記（１３）〜（１８）のいずれか１つに記載のグリップ自助器。
【００２６】
（２０）前記バンド部が、前記グリップ胴部の上面の長手方向に延在する帯状体から成ることを特徴とする上記（１）〜（１９）のいずれか１つに記載のグリップ自助器。
【００２７】
（２１）前記バンド部が、前記グリップ胴部から一体的に連続する弾性材料から成ることを特徴とする上記（２０）に記載のグリップ自助器。
【００２８】
（２２）前記バンド部が、前記グリップ胴部の上面の長手方向に配設された複数個の指挿入用輪から成ることを特徴とする上記（１）〜（１９）のいずれか１つに記載のグリップ自助器。
【００２９】
（２３）前記複数個の指挿入用の指保持部の一つが、他の指保持部と周方向に異なる位置に設けられた親指用の指保持部であることを特徴とする上記（２２）に記載のグリップ自助器。
【００３０】
（２４）前記バンド部が設けられている部位における前記グリップ胴部の表面に、指の内側が入り込み得る凹部を形成したことを特徴とする上記（２０）〜（２３）のいずれか１つに記載のグリップ自助器。
【００３１】
（２５）前記日用柄付用具が、スプーン、フォーク等の食器具、歯ブラシ、手編み用の編み棒、コンピュータのキーボード操作用の押し棒、筆、または刷毛のいずれかであることを特徴とする上記（１）〜（２４）のいずれか１つに記載のグリップ自助器。
【考案の効果】
【００３２】
本考案のグリップ自助器によれば、グリップ胴部の柄受容部に、スプーン等の日用柄付用具の柄を挿入して保持した後、このグリップ胴部に指を添えバンド部で押さえることにより、本グリップ自助器を介してスプーン等の日用柄付用具を把持することができる。これは、グリップ胴部上の指をバンド部で押さえる構造であるため、本患者の手より自然落下することが防止されるからである。
【００３３】
従って、本患者においても両手両腕の機能が全廃していない者であれば、本考案のグリップ自助器を用いることにより、自力で食事の摂取が可能となる者が多くなり、本患者の生活意欲の向上、食事を通じての作業療法上の効果の増加、看護人、介護人の労力の減少に有益である。
【００３４】
本考案のグリップ自助器は、グリップ胴部の柄受容部に挿入し得る柄を持つ日用柄付用具はすべて使用できるものであり、挿入し得る柄の大きさには幅があるため、使用できる日用柄付用具の範囲は広い。またスプーン、フォーク等の食器具だけでなく、歯ブラシ、手編み用の編み棒、コンピュータのキーボード操作用の押し棒、筆や刷毛等も対象となる。この歯ブラシ、編み棒、キーボード操作用の押し具等は、これらを本考案のグリップ自助器を介して使用することで、本患者の日常生活動作の向上、理学療法効果を一層高めることができる。
【考案を実施するための最良の形態】
【００３５】
以下、本考案の実施の形態を、図面を参照して詳細に説明する。
【００３６】
＜第１の実施形態：図１〜図８＞
図１は本考案の第１の実施形態に係るグリップ自助器の使用状態を示す斜視図、図２は本考案の第１の実施形態に係るグリップ自助器を示す斜視図、図３はそのグリップ自助器の正面図、図４は背面図、図５は側面図である。
【００３７】
図１、図２において、本考案の第１の実施形態に係るグリップ自助器１は、筒状のグリップ胴部２と、上記グリップ胴部２の上面に長手方向に帯状に形成され、上記グリップ胴部２を把持すべく差し出す指をグリップ胴部２上で上方より押さえて保持するバンド部３と、上記グリップ胴部２の前端部からグリップ胴部２の内部にかけて形成され、スプーン等の日用柄付用具３０の棒状の柄３１を挿抜可能に受容し且つ保持するための柄受容部４とを有する。
【００３８】
グリップ胴部２は、柔らかい伸縮性に優れる弾性材料、ここではシリコンから成る内実の筒状体であり、周面部５、前端部６および後端部７を有している（図３および図４参照）。
【００３９】
上記バンド部３は、ここでは図２に示すように、グリップ胴部２の上面に長手方向に延在する帯状体８から成り、その両端はグリップ胴部２に固定されている。この帯状体８は軸方向および周方向の２方向に伸縮性に富む弾性材料から成り、結果として、図５（ａ）の状態から図５（ｂ）に例示するように半径方向外側に延びて、バンド部３とグリップ胴部２の周面部５との間の隙間９に指を入れることができる。バンド部３に挿入し得る指の数は、ここでは図１に示すように中指、薬指、小指の３本を想定している。従って、人差し指と親指はバンド部３の外側において、グリップ胴部２を上下方向から挟む形となる。しかし、バンド部３を構成する帯状体８は伸縮性に富む弾性材料から成るので、弾性材料によっては人差し指、中指、薬指、小指の４本をバンド部３とグリップ胴部２の間に差し込むこともできるし、さらには、もっと少ない本数の指をバンド部３とグリップ胴部２の間に差し込んで保持することも可能である。なお、バンド部３は、軸方向の１方向の伸縮性に富む弾性材料によって構成することもできる。
【００４０】
上記柄受容部４は、上記グリップ胴部２よりも硬い弾性材料、ここでは塩化ビニールから成る内実の筒状体１０により形成され、その内部に、図６の断面図に示すように長手方向に上記日用柄付用具３０の棒状の柄３１を挿入する柄挿入孔１１が設けられている。この柄挿入孔１１は、断面形状が細長い孔形状、ここでは扁平な楕円形状を持つ細長断面孔（図３参照）から成り、上記バンド部３の帯状体８に対してほぼ平行な配置角度、またはそれから少し傾いた配置角度で設けられている。これは多くの場合、日用柄付用具３０の棒状の柄３１が扁平断面形状のものであり、柄３１と日用柄付用具３０の使用面との関係が定まっているためである。また、この細長断面孔の長径は日用柄付用具３０の柄３１の幅よりも小さくなっており、これにより細長断面孔内に日用柄付用具３０の柄３１を挿入した場合、弾性的に柄受容部４が押し広げられて、日用柄付用具３０の柄３１をしっかりと保持する構成となっている。また、柄挿入孔１１の前端部には、日用柄付用具３０の柄３１を挿入し易くするため、外側に少し広くなるように傾斜案内部１１ａが形成されている。
【００４１】
図６に示すように、上記グリップ胴部２の内部において、上記柄受容部４の後端部側には、日用柄付用具３０の棒状の柄３１の後端部３１ａを図７の如く受容する柄後端受容部１２が設けられている。この柄後端受容部１２は、柄受容部４よりも硬質の材料、ここでは合成樹脂から成り、直径が柄受容部４より若干大きい断面コ字状の部材として構成され、内部には上記柄受容部４の柄挿入孔１１と同軸的に連通する受容孔１３が設けられている。
【００４２】
柄受容部４と柄後端受容部１２は、ここでは同軸的に一体化（図８（ａ）参照）されて結合されており、柄後端受容部１２はグリップ胴部２の後端部７に露出している（図４参照）。しかし、図８（ｂ）（ｃ）に示すように、柄受容部４と柄後端受容部１２を同軸的に嵌め合わせる方式により結合することもできる。図８（ｂ）は、柄受容部４を柄後端受容部１２に同軸的に嵌め込んだ構造を、また図８（ｃ）は、上記図８（ｂ）の構造において、更に柄後端受容部１２の前端部６に前方へ延在する環状部１４を設け、この環状部１４にて柄受容部４を覆った構造を示す。このような結合構造とすることにより、柄受容部４と柄後端受容部１２を同軸的に強固に連結することができる。
【００４３】
使用に際しては、図７に例示したように、日用柄付用具３０である例えばスプーンの棒状の柄３１を柄受容部４の柄挿入孔１１に挿入し、その柄３１の後端部３１ａを柄後端受容部１２の凹部内に受容させる。これに前後して、図１に示すように、本患者の中指、薬指、小指の３本をバンド部３とグリップ胴部２の間に差し込み、人差し指をグリップ胴部２の上面に添え、親指でグリップ胴部２の下面または側面を支持する。これにより、グリップ自助器１を介して、本患者はスプーンを自分で持ち操作することが可能となる。指をバンド部３で押さえてグリップ胴部２に固定しているため、食事に伴う精緻な作業も操作可能となる。
【００４４】
上記第１の実施形態では、柄後端受容部１２がグリップ胴部２の後端部７の面に露出している構造（図４参照）としたが、図９に断面で示すように、柄後端受容部１２がグリップ胴部２の内部に埋設され、グリップ胴部２の後端部７から隠れている構造とすることもできる。なお、グリップ胴部２の前端部６および後端部７は平坦になっているが（図１３（ａ）および図１４（ａ）参照）、使い勝手を良くするため先細状に形成することもできる（図１３（ｂ）および図１４（ｂ）参照）。
【００４５】
＜第２の実施形態：図１０＞
上記実施形態では柄受容部４の後端部側に柄後端受容部１２を設けたが、柄後端受容部１２を設けずに、図１０に示すように、柄受容部４だけをグリップ胴部２の内部に設ける形態とすることもできる。この図１０に示す第２の実施形態の場合、柄受容部４がグリップ胴部２内で終端しているが、柄受容部４がグリップ胴部２内を前端部６から後端部７まで延在し、グリップ胴部２の後端部７に露出している形態とすることもできる。なお、グリップ胴部２の前端部６および後端部７は平坦になっているが（図１３（ａ）および図１４（ａ）参照）、使い勝手を良くするため先細状に形成することもできる（図１３（ｂ）および図１４（ｂ）参照）。
【００４６】
＜第３の実施形態：図１１〜図１４＞
次に、他の実施形態について説明する。
【００４７】
図１１は本考案の第３の実施形態に係るグリップ自助器を示した斜視図、図１２はそのグリップ自助器の断面図、図１３は前端部６を示す図、図１４は後端部７を示す図である。
【００４８】
本実施形態のグリップ自助器１（図１１）は、上記した第１の実施形態（図１）と次の点で異なる。すなわち、図１１または図１２から分かるように、上記柄受容部４として特に筒状体１０は設けられておらず、シリコンなどの弾性材料から成る内実のグリップ胴部２の内部に、日用柄付用具３０の棒状の柄３１を挿入するための柄挿入孔１１が、柄受容部４として直接に形成されている。この柄受容部４としての柄挿入孔１１は、グリップ胴部２の前端部６からグリップ胴部２の内部にかけて形成され、グリップ胴部２内で終端している。なお、グリップ胴部２の前端部６および後端部７は、図１３（ａ）および図１４（ａ）に示すように平坦になっているが、使い勝手を良くするため、図１３（ｂ）および図１４（ｂ）に示すように先細状に形成することもできる。
【００４９】
＜第４の実施形態：図１５〜図１６＞
図１５は本考案の第４の実施形態に係るグリップ自助器１を示した断面図、図１６は前端部６を示す図である。
【００５０】
本実施形態は、上記図１１のグリップ自助器１において、図１５に示すように、上記柄挿入孔１１をグリップ胴部２の前端部６から後端部７まで延在させ、柄挿入孔１１をグリップ胴部２の後端部７に露出させた形態としたものである。グリップ胴部２の後端部７は、図１６（ａ）に示すように平坦となっているが、使い勝手を良くするため、図１６（ｂ）に示すように先細状に形成することもできる。
【００５１】
＜第５の実施形態：図１７〜図２０＞
上記実施形態では、シリコンなどの弾性材料から成るグリップ胴部２に、同じ断面形状の柄挿入孔１１を長手方向に直線的に形成したが、日用柄付用具３０の柄３１の大きさや長さによっては、柄３１を保持する力が小さく、グリップ胴部２から突き抜けてしまうことが考えられる。そこで、この第５の実施形態では、柄挿入孔１１のうちのグリップ胴部２の後端部７に近い部位を、日用柄付用具３０の柄３１の挿抜に対して接触抵抗を増大させるような形状の接触抵抗増大部１５として形成する。
【００５２】
図１７は、接触抵抗増大部１５を、相互に断面形状がクロスした細長断面孔の繰り返し構造により構成した例を透過的に示す斜視図、図１８はその後端部７を示した図である。ここでは縦形配置の細長断面孔１６と横形配置の細長断面孔１７の繰り返し構造により、接触抵抗増大部１５を構成している。日用柄付用具３０の柄３１を柄挿入孔１１に挿入した場合、日用柄付用具３０の柄３１は、柄挿入孔１１の接触抵抗増大部１５において、横形配置の細長断面孔１７から縦形配置の細長断面孔１６と横形配置の細長断面孔１７を次々と通過することになり、それぞれ異なる方向からグリップ胴部２の弾性復帰力を受けて挟持されるので、しっかりと保持される。
【００５３】
図１９は、接触抵抗増大部１５を、柄挿入孔１１をジグザグに屈曲した構造部、つまり相互に配向の異なる第１の傾斜孔１８と第２の傾斜孔１９の繰り返しにより構成した例を透過的に示した斜視図、図２０はその後端部７を示した図である。日用柄付用具３０の柄３１を柄挿入孔１１に挿入した場合、日用柄付用具３０の柄３１は、柄挿入孔１１の接触抵抗増大部１５において配向の異なる傾斜孔１８、１９を次々と直線孔に変形しつつ通過することになり、それぞれ異なる方向から直線孔が傾斜孔１８、１９に戻ろうとするグリップ胴部２の弾性復帰力を受けて挟持されるので、しっかりと保持される。
【００５４】
＜第６の実施形態：図２１〜図２２＞
上記実施形態では、バンド部３をグリップ胴部２から一体的に連続する弾性材料から成る構造として説明した。しかし、バンド部３の構造はこれに限定されるものではなく、例えば図２１〜図２２に示すように、様々に変形することができる。
【００５５】
図２１は、上記バンド部３がグリップ胴部２の上面に長手方向に延在する帯状体８から成る構造（図２）において、その両端のグリップ胴部２に固定する部分に裏打ち部材２０を重ね合わせて一体化することにより、固定部分の強度を高めた例を示したものである。
【００５６】
図２２は、上記バンド部３がグリップ胴部２の上面に長手方向に延在する帯状体８から成る構造（図２）において、バンド部３が設けられている部位におけるグリップ胴部２の表面に、指の内側が入り込む凹部２１を形成し、握りやすくした例を示したものであり、（ａ）はその凹部２１の斜視図、（ｂ）はその部分断面図である。このような凹部２１は他の実施形態におけるグリップ胴部２にも設けることができる。
【００５７】
＜第７の実施形態：図２３〜図２４＞
図２３〜図２４は、第７の実施形態として、上記バンド部３が、グリップ胴部２の上面の長手方向に配設された複数個の指挿入用の指保持部から成る形態を示したものである。
【００５８】
図２３は、上記バンド部３がグリップ胴部２の上面に長手方向に延在する帯状体８から成る構造（図２）において、そのバンド部３をグリップ胴部２の上面の長手方向に配設された複数個の指挿入用の独立した帯状体２３からバンド部３を構成した例である。図２３（ａ）は３つの独立した帯状体２３からバンド部３を構成した例であり、これらの３つの独立した帯状体２３には、それぞれ例えば人差し指、中指、薬指、小指の３本が差し込まれる。また図２３（ｂ）は、それぞれ４つの独立した帯状体２３からバンド部３を構成した例であり、人差し指、中指、薬指、小指の４本が差し込まれる。
【００５９】
図２４は、上記バンド部３がグリップ胴部２の上面に長手方向に延在する帯状体８から成る構造（図２）において、そのバンド部３をグリップ胴部２の上面の長手方向に配設された複数個の指挿入用輪用の独立した指挿入用輪２４からバンド部３を構成した例である。図２４（ａ）は３つの独立した指挿入用輪２４からバンド部３を構成した例であり、これらの３つの独立した指挿入用輪２４には、それぞれ人差し指、中指、薬指、小指の３本が差し込まれる。また図２４（ｂ）は、４つの独立した指挿入用輪２４からバンド部３を構成した例であり、それぞれ人差し指、中指、薬指、小指の４本が差し込まれる。
【００６０】
＜第８の実施形態：図２５＞
上記実施形態においては、親指については特に保持する機構を設けなかったが、親指用のバンド部をグリップ胴部２の上面に設けることもできる。
【００６１】
図２５（ａ）は、親指用のバンド部２５を、グリップ胴部２の上面に設けた親指用の帯状体２６から構成した例であり、図２５（ｂ）は親指用のバンド部２５を、グリップ胴部２の上面に設けた親指用の指挿入用輪２７から構成した例である。これらの親指用の帯状体２６または親指用の指挿入用輪２７の位置は、その親指保持の機能が達成できるように、他の独立した指挿入用輪２４から周方向に異なる位置に設けられる。
【００６２】
なお、図２３〜図２４の包括的説明で用いた「バンド部３がグリップ胴部２の上面の長手方向に配設された複数個の指挿入用の指保持部から成る」という形態には、その複数個の指挿入用の指保持部の一つが、他の指保持部と周方向に異なる位置に設けられた親指用の指保持部（帯状体２６または指挿入用輪２７）である場合が含まれる。
【００６３】
＜第９の実施形態：図２６〜図２７＞
図２６は、グリップ胴部２の形状の変形例を示したもので、（ａ）に示すような単純な円筒状の他、（ｂ）に示す樽状や、（ｃ）に示す糸巻き断面形状のグリップ胴部２として形成することができる。
【００６４】
また、これらのグリップ胴部２には、図２７の（ａ）〜（ｃ）に示すように、表面に滑り止め用の凹凸２８を設けることができる。
【００６５】
＜第１０の実施形態：図２８＞
図２８は、本考案のグリップ自助器１で使用可能な日用柄付用具３０の種類を例示したもので、上述したスプーン、フォーク等の食器具の他、（ａ）に示すような歯ブラシ、（ｂ）に示すような手編み用の編み棒、（ｃ）に示すようなコンピュータのキーボード操作用の押し棒、（ｄ）に示すような筆、または（ｅ）に示すような刷毛などが挙げられる。
【図面の簡単な説明】
【００６６】
【図１】本考案のグリップ自助器の使用状態を示す斜視図である。
【図２】本考案の第１の実施形態に係るグリップ自助器を示す斜視図である。
【図３】図２のグリップ自助器の正面図である。
【図４】図２のグリップ自助器の背面図である。
【図５】図２のグリップ自助器の側面を示したもので、（ａ）は通常時の状態を、（ｂ）はバンド部を伸ばした状態を示した図である。
【図６】図２のグリップ自助器の断面図である。
【図７】スプーンの柄を保持した状態を示す図６と同様のグリップ自助器の断面図である。
【図８】図６のグリップ自助器の柄受容部と柄後端受容部の結合の仕方を示した図である。
【図９】図２のグリップ自助器の変形例を示した図である。
【図１０】本考案の第２の実施形態に係るグリップ自助器の断面図である。
【図１１】本考案の第３の実施形態に係るグリップ自助器を示した斜視図である。
【図１２】図１１のグリップ自助器の断面図である。
【図１３】図１１のグリップ自助器の前端部を示す図である。
【図１４】図１１のグリップ自助器の後端部を示す図である。
【図１５】本考案の第４の実施形態に係るグリップ自助器を示した断面図である。
【図１６】図１５のグリップ自助器の後端部を示す図である。
【図１７】本考案の第５の実施形態に係るグリップ自助器を透過的に示した斜視図である。
【図１８】図１７のグリップ自助器の後端部を示す図である。
【図１９】本考案の第５の実施形態の変形例に係るグリップ自助器を透過的に示した斜視図である。
【図２０】図１９のグリップ自助器の後端部を示す図である。
【図２１】図５（ａ）のグリップ自助器のバンド部に裏打ちをした部分を示した断面図である。
【図２２】本考案の第６の実施形態としてグリップ胴部の表面に凹部を設ける例を示したもので、（ａ）は斜視図、（ｂ）はその部分断面図である。
【図２３】本考案の第７の実施形態に係るグリップ自助器のバンド部の構成例を示した図である。
【図２４】本考案のグリップ自助器におけるバンド部の他の構成例を示した図である。
【図２５】本考案のグリップ自助器におけるグリップ胴部に親指用のバンド部を設けた形態を示した図である。
【図２６】本考案のグリップ自助器におけるグリップ胴部の形状の変形例を示した図である。
【図２７】図２６のグリップ胴部の表面に設けられる滑り止め用の凹凸を例示した図である。
【図２８】本考案のグリップ自助器で使用可能な日用柄付用具の種類を例示した図である。
【符号の説明】
【００６７】
１      グリップ自助器、
２      グリップ胴部、
３      バンド部、
４      柄受容部、
５      周面部、
６      前端部、
７      後端部、
８      帯状体、
９      隙間、
１０      筒状体、
１１      柄挿入孔、
１２      柄後端受容部、
１３      受容孔、
１４      環状部、
１５      接触抵抗増大部、
１６      縦形配置の細長断面孔、
１７      横形配置の細長断面孔、
１８      第１の傾斜孔、
１９      第２の傾斜孔、
２０      裏打ち部材、
２１      凹部、
２３      独立した帯状体、
２４      独立した指挿入用輪、
２５      親指用のバンド部、
２６      親指用の帯状体、
２７      親指用の指挿入用輪、
２８      滑り止め用の凹凸、
３０      日用柄付用具、
３１      柄。
【図１】
0003123606.tif 000003
【図２】
0003123606.tif 000004
【図３】
0003123606.tif 000005
【図４】
0003123606.tif 000006
【図５】
0003123606.tif 000007
【図６】
0003123606.tif 000008
【図７】
0003123606.tif 000009
【図８】
0003123606.tif 000010
【図９】
0003123606.tif 000011
【図１０】
0003123606.tif 000012
【図１１】
0003123606.tif 000013
【図１２】
0003123606.tif 000014
【図１３】
0003123606.tif 000015
【図１４】
0003123606.tif 000016
【図１５】
0003123606.tif 000017
【図１６】
0003123606.tif 000018
【図１７】
0003123606.tif 000019
【図１８】
0003123606.tif 000020
【図１９】
0003123606.tif 000021
【図２０】
0003123606.tif 000022
【図２１】
0003123606.tif 000023
【図２２】
0003123606.tif 000024
【図２３】
0003123606.tif 000025
【図２４】
0003123606.tif 000026
【図２５】
0003123606.tif 000027
【図２６】
0003123606.tif 000028
【図２７】
0003123606.tif 000029
【図２８】
0003123606.tif 000030